(57)【特許請求の範囲】
【請求項１】
ケースの前面に配設された操作キーと、前記操作キーの操作を不能にするキープロテクトスイッチとを備え、制御盤のパネルに形成された取付け孔に、挿入されて取り付けられる制御機器において、
前記キープロテクトスイッチの操作部を、ケースの前面以外の隣接する二つの周壁面のなす角部に、一方の周壁面から他方の周壁面に亘って一体化してスライド可能に配備し、
前記二つに周壁面が、前記ケースの上面と左右いずれかの側面、あるいは、前記ケースの下面と左右いずれかの側面であり、
前記操作部が、前記ケースの前後方向に沿って前記スライド可能であることを特徴とする制御機器。
【請求項２】
前記操作部は、前記角部に位置する部分を、周壁面より凹入形成している請求項１記載の制御機器。
【請求項３】
キープロテクト状態を表示する表示手段を備える請求項１または２に記載の制御機器。
【発明の詳細な説明】
【０００１】
【発明の属する技術分野】
本発明は、カウンタやタイマ等の制御機器に関し、更に詳しくは、ケースの前面に設定用の操作キーを備えた制御機器に関する。
【０００２】
【従来の技術】
この種の制御機器においては、ケース前面の操作キーによって設定されたセット状態が不用意に変更されることがないように、ケースの一周壁面、例えば下面に備えたキープロテクトスイッチを操作することによって、ケース前面の操作キーの操作を無効にするキープロテクト機能が備えたものが知られている。
【０００３】
【発明が解決しようとする課題】
このような従来例では、複数の機器を横方向に並べてパネルに取付ける場合には、各機器のケース下面が全面的に露出するので、十分ケースを接近させて並べてコンパクトに設置しても、各ケース下面のキープロテクトスイッチを操作することができるが、上下方向に並べる場合には、ケース下面のキープロテクトスイッチを操作できるようにするために、上下に並べられるケースの間隔を大きく空けなければならず、複数の機器を上下方向に並べて設置するのに大きいスペースを必要とするものとなっていた。
【０００４】
本発明は、このような点に着目してなされたものであって、複数の制御機器を任意の方向に接近して並列設置しながら所要の操作を容易に行えるようにすることを主たる目的とする。
【０００５】
【課題を解決するための手段】
本発明では、上記目的を達成するために、次のように構成している。
【０００６】
本発明の制御機器は、ケースの前面に配設された操作キーと、前記操作キーの操作を不能にするキープロテクトスイッチとを備え、制御盤のパネルに形成された取付け孔に、挿入されて取り付けられる制御機器において、前記キープロテクトスイッチの操作部を、ケースの前面以外の隣接する二つの周壁面のなす角部に、一方の周壁面から他方の周壁面に亘って一体化してスライド可能に配備し、前記二つに周壁面が、前記ケースの上面と左右いずれかの側面、あるいは、前記ケースの下面と左右いずれかの側面であり、前記操作部が、前記ケースの前後方向に沿って前記スライド可能である。
【０００７】
本発明によると、キープロテクトスイッチの操作部は、ケースの上面と左右いずれかの側面、あるいは、ケースの下面と左右いずれかの側面に設けられることになる。従って、複数の機器を横方向に並べて設置する場合には、各ケースの上面あるいは下面に設置した操作部が露出し、また、複数の機器を縦方向に並べて設置する場合には、各ケースの左側面あるいは右側面に設置した操作部が露出することになり、複数のケースを接近して並べても大きく露出した操作部によってキープロテクトスイッチを容易にスライド操作することができる。
【００１２】
本発明の好ましい実施態様においては、前記操作部は、前記角部に位置する部分を、周壁面より凹入形成している。
【００１３】
本発明によると、ケースをパネルの取付け孔に挿入装着する際に、角部に位置する操作部が、取付け孔の縁に引っ掛けられて不用意に操作されることがなく、ケース組付け時に特別慎重に取扱わなくてもよい。
【００１４】
本発明の更に他の実施態様においては、キープロテクト状態を表示する表示手段を備えている。
【００１５】
本発明によると、キープロテクト状態であるか否かを容易に目視確認することができる。
【００１６】
【発明の実施の形態】
以下、本発明の実施の態様を図面に基づいて説明する。
【００１７】
図１に、本発明に係る制御機器の一例に挙げたタイマの前方から見た斜視図が示されている。このタイマのケース１は、前後に長い箱形に形成されており、その前面にＬＥＤ表示部２と各種操作キー３，４，５が備えられるとともに、ケース１の背面に外部配線接続部６が設けられている。
【００１８】
前記表示部２では、「時」、「分」、「秒」の単位でプリセット値ｔと計時値Ｔが表示されるとともに、制御出力表示ａ、リセット表示ｂ、および、キープロテクト表示ｃの表示が行われる。
【００１９】
操作キー３は、プリセット値変更用のアップキーであり、「時」、「分」、「秒」の各単位での設定値を加算方向へ変更する。操作キー４は、プリセット値変更用のダウンキーであり、「時」、「分」、「秒」の各単位での設定値を減算方向へ変更する。また、操作キー５はリセットキーであり、計時値と出力がリセットされるとともに、前記リセット表示ｂが現れる。
【００２０】
また、ケース１の上面と右側面とのなす角部には、前面の操作キーの操作を不能にするために操作される操作部としての操作ノブ７が配備されている。
【００２１】
図２および図３に示すように、この操作ノブ７は、正面形状が逆Ｌ形に形成されており、ケース１の角部に形成された開口８に前後スライド可能に嵌入装着され、ケース上面および右側面のいずれからでもドライバーなどの工具を用いることなく、指先で容易にスライド操作できるようになっている。
【００２２】
操作ノブ７の内面には、開口８の上縁部８ａに係合する凹部１０が形成されるとともに、開口８の横縁部８ｂに係合する案内突起１１が備えられ、これら２箇所の案内によって前後スライド可能に支持される。また、操作ノブ７の内面に設けたピン状突起１２がケース１の右側壁の案内溝１３に係入されることで、操作ノブ７の外れが阻止されている。
【００２３】
ケース１に内装された基板９の端部には、前記開口８に臨んでキープロテクトスイッチ１４が搭載されている。このキープロテクトスイッチ１４は、回路上で操作キーの操作を不能にするものであり、操作ノブ７の内面に設けた前後一対の操作突起１５がキープロテクトスイッチ１４の操作突起１４ａに前後から係合して、操作ノブ７の前後スライド操作によって操作突起１４ａが前後に変位操作されるようになっている。
【００２４】
このるタイマ（制御機器）は、図４に示すように、制御盤のパネル１６に形成した取付け孔１７に前面から挿入して止着されることになるが、複数のタイマを横方向に並列配備する際には、各ケース１の操作ノブ７は上面から操作することができるので、各ケース１を十分接近させて左右に並列することができる。また、図５に示すように、複数のタイマを上下方向に並列配備する際には、各ケース１の操作ノブ７は側面から操作することができるので、各ケース１を十分接近させて上下に並列することができる。
【００２５】
なお、本発明は以下のような形態で実施することもできる。
【００２６】
（１）図６および図７示すように、前記操作ノブ７の外面角部に切欠き部７ａを形成して開口８内に大きく凹入させておくと、ケース１をパネルの取付け孔１７に挿入する際に、取付け孔１７の角部内縁に操作ノブ７を引っ掛けて不用意に操作してしまうおそれがなくなる。
【００２７】
（２）操作ノブ７は、ケース１の隣接する２つの周壁面に設けてあればよく、上記のように右上角部の他に、左上角部、右下角部、あるいは、左下角部のいずれに配備してもよし、複数配備してもよい。
【００２８】
（３）上記実施例では、操作ノブ７を隣接する２つの周壁面に臨む一体構造としているが、隣接する２つの周壁面のそれぞれに独立した操作ノブを配備することもできる。この場合、各操作ノブでそれぞれ別のキープロテクトスイッチを操作する形態と、両操作ノブで単一のキープロテクトスイッチを操作する形態が考えられる。
【００３０】
【発明の効果】
以上の説明から明らかなように、本発明によれば、ケースの周壁面における隣接する二つの面に、同一の作用を果たす操作部を配備したので、複数の機器を左右方向あるいは上下方向に十分接近させて並列配備しても前記操作部を容易に操作することができ、特に、前記操作部を、キープロテクトスイッチの操作部とすることにより、複数の制御機器を任意の方向にコンパクトに並べて設置しても、ケースの外周の二面からキープロテクトスイッチを操作できることになる。
【図面の簡単な説明】
【図１】本発明に係る制御機器の一例であるタイマの全体斜視図
【図２】キープロテクトスイッチ操作用の操作具を内側下方から見た斜視図
【図３】操作具の組み付け手順を示す縦断正面図
【図４】使用形態の一例を示す背面側からの斜視図
【図５】使用形態の他の例を示す背面側からの斜視図
【図６】別形態の操作具を備えたタイマの全体斜視図
【図７】別形態の操作具の装着部を示す縦断正面図
【符号の説明】
１              ケース
７              操作具（操作ノブ）
１４            キープロテクトスイッチ
【図１】
0003997725.tif 000002
【図２】
0003997725.tif 000003
【図３】
0003997725.tif 000004
【図４】
0003997725.tif 000005
【図５】
0003997725.tif 000006
【図６】
0003997725.tif 000007
【図７】
0003997725.tif 000008